(57)【要約】【課題】内部への異物の侵入を低減することができる電気接続箱およびワイヤハーネスを提供する。【解決手段】電気接続箱１は、アッパーカバー２Ａが、筒状に形成され電子部品１０が挿入方向に沿って挿入される挿入口２１ａが設けられる筒部２１と、筒部２１の挿入口２１ａとは反対側に設けられ電子部品１０を支持する支持部２２と、筒部２１の互いに対向する壁部２１ｂに設けられ、互いに対向し対向方向に壁部２１ｂを貫通する一対の開口部２３とを有する。ロアカバー３Ａは、アッパーカバー２Ａが組み付けられた組付状態で、開口部２３に連通し、バスバー４を挿入方向と直交する方向に沿って保持する空間部３１が形成される。ロアカバー３Ａは、組付状態において、少なくとも一方が開口部２３から空間部３１を経由してバスバー４に至るまでの直線状の経路４０上に遮蔽部５０を有する。【選択図】図１
2019068633.tif 000002
【特許請求の範囲】
【請求項１】
電子部品と、
前記電子部品と電気的に接続するバスバーと、
前記バスバーを収容するロアカバーと、
前記ロアカバーに組み付けられ、かつ電子部品を保持するアッパーカバーと、
を備え、
前記アッパーカバーは、
筒状に形成され前記電子部品が挿入方向に沿って挿入される挿入口が設けられる筒部と、
前記筒部の前記挿入口とは反対側に設けられ前記電子部品を支持する支持部と、
前記筒部の互いに対向する壁部に設けられ、互いに対向し対向方向に前記壁部を貫通する一対の開口部と、
を有し、
前記ロアカバーは、
前記アッパーカバーが組み付けられた組付状態で、前記開口部に連通し、前記バスバーを前記挿入方向と直交する方向に沿って保持する空間部が形成され、
前記ロアカバーおよび前記アッパーカバーは、
前記組付状態において、少なくとも一方が前記開口部から前記空間部を経由して前記バスバーに至るまでの直線状の経路上に遮蔽部を有する、
ことを特徴とする電気接続箱。
【請求項２】
前記ロアカバーは、
前記バスバーが保持された内側底面から立設され、かつ前記空間部を他の内部空間と仕切る仕切り壁を有し、
前記遮蔽部は、前記内側底面から前記開口部に向けて前記仕切り壁と平行に立設され、先端部が前記経路上に位置する、
請求項１に記載の電気接続箱。
【請求項３】
前記アッパーカバーは、
前記遮蔽部が、前記支持部の反対側の面から前記開口部と平行に前記挿入方向に突出して形成され、先端部が前記経路上に位置する、
請求項１に記載の電気接続箱。
【請求項４】
前記アッパーカバーは、
前記筒部の前記壁部から外側に向かって前記挿入方向と直交する方向に形成され、前記ロアカバーの前記空間部を閉塞する平坦部を有し、
前記平坦部は、
前記開口部の前記挿入方向の端部を形成する、
請求項１〜３のいずれか１項に記載の電気接続箱。
【請求項５】
電線と、
前記電線に電気的に接続する電子部品と、前記電子部品と電気的に接続するバスバーと、前記バスバーを収容するロアカバーと、前記ロアカバーに組み付けられ、かつ電子部品を保持するアッパーカバーとを有する電気接続箱と、
を備え、
前記アッパーカバーは、
筒状に形成され前記電子部品が挿入方向に沿って挿入される挿入口が設けられる筒部と、
前記筒部の前記挿入口とは反対側に設けられ前記電子部品を支持する支持部と、
前記筒部の互いに対向する壁部に設けられ、互いに対向し対向方向に前記壁部を貫通する一対の開口部と、
を有し、
前記ロアカバーは、
前記アッパーカバーが組み付けられた組付状態で、前記開口部に連通し、前記バスバーを前記挿入方向と直交する方向に沿って保持する空間部が形成され、
前記ロアカバーおよび前記アッパーカバーは、
前記組付状態において、少なくとも一方が前記開口部から前記空間部を経由して前記バスバーに至るまでの直線状の経路上に遮蔽部を有する、
ことを特徴とするワイヤハーネス。
【発明の詳細な説明】
【技術分野】
【０００１】
本発明は、電気接続箱およびワイヤハーネスに関する。
【背景技術】
【０００２】
従来、自動車等の車両に搭載され、ワイヤハーネス等の接続処理用部品や、ヒューズ、リレー、電子制御ユニット等の電子部品を集約して収容する電気接続箱（ジャンクションボックス、ヒューズボックス、リレーボックス等とも呼ばれる）が知られている。このような電気接続箱は、例えば、リレー等の電子部品を装着する筒形状の装着部が設けられている（例えば、特許文献１）。
【先行技術文献】
【特許文献】
【０００３】
【特許文献１】特許第５２２１２５５号公報
【発明の概要】
【発明が解決しようとする課題】
【０００４】
ところで、電気接続箱は、筒形状の装着部の内側に電子部品を保持するための突起部を有しているが、金型の構造上、突起部の上下方向の下側に空隙ができる。その空隙に、例えば針金等の異物が入り込む可能性があり、改善の余地がある。
【０００５】
本発明は、内部への異物の侵入を低減することができる電気接続箱およびワイヤハーネスを提供することを目的とする。
【課題を解決するための手段】
【０００６】
上記目的を達成するために、本発明に係る電気接続箱は、電子部品と、前記電子部品と電気的に接続するバスバーと、前記バスバーを収容するロアカバーと、前記ロアカバーに組み付けられ、かつ電子部品を保持するアッパーカバーと、を備え、前記アッパーカバーは、筒状に形成され前記電子部品が挿入方向に沿って挿入される挿入口が設けられる筒部と、前記筒部の前記挿入口とは反対側に設けられ前記電子部品を支持する支持部と、前記筒部の互いに対向する壁部に設けられ、互いに対向し対向方向に前記壁部を貫通する一対の開口部と、を有し、前記ロアカバーは、前記アッパーカバーが組み付けられた組付状態で、前記開口部に連通し、前記バスバーを前記挿入方向と直交する方向に沿って保持する空間部が形成され、前記ロアカバーおよび前記アッパーカバーは、前記組付状態において、少なくとも一方が前記開口部から前記空間部を経由して前記バスバーに至るまでの直線状の経路上に遮蔽部を有する、ことを特徴とする。
【０００７】
上記電気接続箱において、前記ロアカバーは、前記バスバーが保持された内側底面から立設され、かつ前記空間部を他の内部空間と仕切る仕切り壁を有し、前記遮蔽部は、前記内側底面から前記開口部に向けて前記仕切り壁と平行に立設され、先端部が前記経路上に位置することが好ましい。
【０００８】
上記電気接続箱において、前記アッパーカバーは、前記遮蔽部が、前記支持部の反対側の面から前記開口部と平行に前記挿入方向に突出して形成され、先端部が前記経路上に位置することが好ましい。
【０００９】
上記電気接続箱において、前記アッパーカバーは、前記筒部の前記壁部から外側に向かって前記挿入方向と直交する方向に形成され、前記ロアカバーの前記空間部を閉塞する平坦部を有し、前記平坦部は、前記開口部の前記挿入方向の端部を形成することが好ましい。
【００１０】
上記目的を達成するために、本発明に係るワイヤハーネスは、電線と、前記電線に電気的に接続する電子部品と、前記電子部品と電気的に接続するバスバーと、前記バスバーを収容するロアカバーと、前記ロアカバーに組み付けられ、かつ電子部品を保持するアッパーカバーとを有する電気接続箱と、を備え、前記アッパーカバーは、筒状に形成され前記電子部品が挿入方向に沿って挿入される挿入口が設けられる筒部と、前記筒部の前記挿入口とは反対側に設けられ前記電子部品を支持する支持部と、前記筒部の互いに対向する壁部に設けられ、互いに対向し対向方向に前記壁部を貫通する一対の開口部と、を有し、前記ロアカバーは、前記アッパーカバーが組み付けられた組付状態で、前記開口部に連通し、前記バスバーを前記挿入方向と直交する方向に沿って保持する空間部が形成され、前記ロアカバーおよび前記アッパーカバーは、前記組付状態において、少なくとも一方が前記開口部から前記空間部を経由して前記バスバーに至るまでの直線状の経路上に遮蔽部を有する、ことを特徴とする。
【発明の効果】
【００１１】
本発明に係る電気接続箱およびワイヤハーネスによれば、内部への異物の侵入を低減することができるという効果を奏する。
【図面の簡単な説明】
【００１２】
【図１】図１は、第１実施形態に係る電気接続箱の概略構成を示す分解斜視図である。
【図２】図２は、第１実施形態に係る電気接続箱の概略構成を示す斜視図である。
【図３】図３は、第１実施形態に係るロアカバーの平面図である。
【図４】図４は、第１実施形態に係る電気接続箱の部分断面斜視図である。
【図５】図５は、第１実施形態に係る電気接続箱の断面図である。
【図６】図６は、第２実施形態に係る電気接続箱の概略構成を示す分解斜視図である。
【図７】図７は、第２実施形態に係る電気接続箱の部分断面斜視図である。
【図８】図８は、第２実施形態に係る電気接続箱の部分断面斜視図である。
【図９】図９は、第２実施形態に係る電気接続箱の断面図である。
【発明を実施するための形態】
【００１３】
以下に、本発明に係る電気接続箱およびワイヤハーネスの実施形態について図面を参照しつつ詳細に説明する。なお、この実施形態により本発明が限定されるものではない。また、下記の実施形態における構成要素には、当業者が容易に想定できるもの、あるいは実質的に同一のものが含まれる。また、下記の実施形態における構成要素は、発明の要旨を逸脱しない範囲で、種々の省略、置き換え、変更を行うことができる。さらに、以下に記載した構成は適宜組み合わせることが可能である。
【００１４】
［第１実施形態］
図１は、第１実施形態に係る電気接続箱の概略構成を示す分解斜視図である。図２は、第１実施形態に係る電気接続箱の概略構成を示す斜視図である。図３は、第１実施形態に係るロアカバーの平面図である。図４は、第１実施形態に係る電気接続箱の部分断面斜視図である。図５は、第１実施形態に係る電気接続箱の断面図である。なお、図２は、電気接続箱から電子部品を取り外した状態を示す。図３は、電気接続箱のアッパーカバーを取り外して、ロアカバーの内部空間を外部に露出させた状態を示す図である。図４は、図１のＡ−Ｂ間の部分断面図である。図５は、図１のＡ−Ａ間の断面図である。ここで、図１〜図５（図６〜図９も同様）のＸ方向は、本実施形態における電気接続箱の幅方向とする。Ｙ方向は、本実施形態における電気接続箱の奥行き方向とし、Ｘ方向と直交する方向である。Ｚ方向は、本実施形態における電子部品の挿入方向とし、Ｘ方向およびＹ方向と直交する方向である。Ｚ方向は、上方向をＺ１方向とし、下方向をＺ２方向とする。
【００１５】
本実施形態に係る電気接続箱１は、自動車等の車両（不図示）に搭載される。電気接続箱１は、ワイヤハーネス１００に組み込まれ、電線１０１等の接続処理用部品を構成するコネクタ、ヒューズ、リレー、電子制御ユニット等の電子部品１０を集約して収容するものである。電気接続箱１は、例えば車両のエンジンルームや車体の下方部分に設置され、バッテリ等の電源と、車両内に搭載される各種電子機器との間に接続される。電気接続箱１は、電源から供給された電力を車両内の各種電子機器に分配する。なお、電気接続箱１は、ジャンクションボックス、ヒューズボックス、リレーボックス等とも呼ばれる場合があるが、本実施形態ではこれらを総称して電気接続箱１と呼ぶ。
【００１６】
第１実施形態に係る電気接続箱１は、図１に示すように、アッパーカバー２Ａと、ロアカバー３Ａと、バスバー４と、電子部品１０とを含んで構成される。アッパーカバー２Ａおよびロアカバー３Ａは、互い組み付けられた組付状態において、内部にバスバー４を収容する筐体を構成する。
【００１７】
アッパーカバー２Ａは、絶縁性の合成樹脂等からなり、周知の射出成形により成形される。アッパーカバー２Ａは、電子部品１０を保持する。アッパーカバー２Ａは、保持部２０と、天井壁２４と、外壁２５とを含んで構成される。アッパーカバー２Ａは、天井壁２４と、天井壁２４の外縁からＺ２方向に立設しかつ互いに連なる複数の外壁２５とにより、Ｚ２方向に開口する箱形状に形成されている。
【００１８】
保持部２０は、電子部品１０を保持するものであり、アッパーカバー２ＡのＺ１方向の天井壁２４に複数設けられている。保持部２０は、筒部２１と、支持部２２と、一対の開口部２３とを含んで構成される。
【００１９】
筒部２１は、筒状に形成され電子部品１０が挿入方向に沿って挿入される挿入口２１ａが設けられ、挿入口２１ａとは反対側に支持部２２が設けられている。挿入口２１ａは、筒部２１のＺ１方向を矩形状に開口する部分である。筒部２１は、互いに連なる複数の矩形板状の壁部２１ｂを備え、筒形状に形成されている。筒部２１は、例えば、Ｚ１方向から見た場合に矩形状である。筒部２１は、アッパーカバー２Ａの天井壁２４に対して、壁部２１ｂが挿入方向に沿うように立設されている。天井壁２４は、筒部２１の壁部２１ｂから外側に向かって挿入方向と直交する方向（例えばＹ方向）に形成され、ロアカバー３Ａ内の空間部３１を閉塞する平坦部２８である。筒部２１は、アッパーカバー２Ａの天井壁２４に一体成形してもよいし、又は、別体成形としてアッパーカバー２Ａの天井壁２４に組み付ける構成としてもよい。本実施形態の筒部２１は、アッパーカバー２Ａの天井壁２４に一体成形されている。
【００２０】
筒部２１は、一対の対向する案内部材２１ｃが、対向する壁部２１ｂの内側にそれぞれ設けられている。各案内部材２１ｃは、開口部２３が設けられた壁部２１ｂにおいて、電子部品１０の装着時に突起部１３が案内部材２１ｃと挿入方向で突き当たらないように、挿入方向と直交する方向（Ｘ方向）に２箇所に分割されている。各案内部材２１ｃは、Ｚ１方向に設けられた傾斜面２１ｄと、各案内部材２１ｃが対向する対向方向に設けられた垂直面２１ｅとを有している。傾斜面２１ｄは、筒部２１の内側に向かうに従ってＺ１方向からＺ２方向に向けて傾斜した平面である。垂直面２１ｅは、筒部２１の壁部２１ｂの内面に平行な平面である。一対の傾斜面２１ｄは、筒部２１の内側に挿入される電子部品１０の外周に当接し当該電子部品１０を筒部２１のＸ方向またはＹ方向の中央に案内する。一対の垂直面２１ｅは、電子部品１０が筒部２１のＸ方向またはＹ方向の中央に位置するように支持する。
【００２１】
筒部２１は、Ｚ１方向から見た場合、当該筒部２１の内側の大きさと電子部品１０の外形の大きさとが略同じ大きさである。つまり、筒部２１は、当該筒部２１の内側のＹ方向における長さ（一対の案内部材２１ｃのＹ方向の長さを除く）が、電子部品１０の本体部１１のＹ方向の長さ（一対の突起部１３のＹ方向の長さを除く）と略同じある。また、筒部２１は、当該筒部２１の内側のＸ方向の長さ（一対の案内部材２１ｃのＸ方向の長さを除く）が、電子部品１０の本体部１１のＸ方向の長さと略同じである。
【００２２】
支持部２２は、天井壁２４において壁部２１ｂにより囲われた内側の部分であり、矩形状に形成されている。支持部２２は、アッパーカバー２Ａの天井壁２４の位置よりもＺ２方向に位置する。本実施形態の支持部２２は、筒部２１の挿入口２１ａとは反対側に設けられ、挿入口２１ａから筒部２１の内側に挿入された電子部品１０を支持する。支持部２２は、図２に示すように、電子部品１０の各端子１２がそれぞれ挿通される複数の挿通孔２１ｆが設けられている。各挿通孔２１ｆは、それぞれ、保持部２０に電子部品１０が装着された際に、当該電子部品１０の各端子１２が挿通される。
【００２３】
一対の開口部２３は、筒部２１の互いに対応する壁部２１ｂにそれぞれ設けられている。各開口部２３は、Ｙ方向に対向する壁部２１ｂにそれぞれ設けられている。各開口部２３は、壁部２１ｂのＸ方向の略中央、かつ壁部２１ｂのＺ２方向に設けられている。各開口部２３は、各開口部２３が対向する対向方向に壁部２１ｂを貫通している。各開口部２３は、矩形状に形成される。本実施形態の開口部２３は、電気接続箱１の外部に直接現れる部分を云う。開口部２３は、筒部２１の装着方向下側の端部から装着方向上側に向かって凹状に形成された切り欠き部と、平坦部２８の端部とで構成される。平坦部２８は、開口部２３の挿入方向の端部を形成する。
【００２４】
ロアカバー３Ａは、絶縁性の合成樹脂からなり、周知の射出成形により成形される。ロアカバー３Ａは、バスバー４を収容する。ロアカバー３Ａは、アッパーカバー２Ａが組み付けられた組付状態で、開口部２３に連通し、バスバー４を挿入方向と直交する方向に沿って保持する空間部３１が形成される。ロアカバー３Ａは、Ｚ２方向に位置する内側底面３２と、当該内側底面３２からＺ１方向に立設しかつ互いに連なる複数の外壁３３と、内側底面３２からＺ１方向に立設され、空間部３１を他の空間部と仕切る仕切り壁３４とを備える。内側底面３２は、図３に示すように、バスバー４が保持される。各外壁３３は、突起部３５を有する。突起部３５は、アッパーカバー２Ａの各外壁２５の内側に設けられた凹部（不図示）に係合する。ロアカバー３Ａは、各外壁３３の突起部３５に、アッパーカバー２Ａ側の凹部が係止することで、ロアカバー３Ａの上面を覆うようにアッパーカバー２Ａが組み付けられる。仕切り壁３４は、対向する一対の外壁３３間をＸ方向に沿って複数立設されている。２つの仕切り壁３４は、対向する面の間にも空間部３１が形成される。本実施形態のロアカバー３Ａは、内側底面３２から開口部２３に向けて仕切り壁３４と平行に立設された遮蔽部５０を有する。遮蔽部５０は、Ｚ１方向の端部に先端部５０ａを有する。先端部５０ａは、ロアカバー３Ａおよびアッパーカバー２Ａが互いに組付状態において、開口部２３から空間部３１を経由してバスバー４に至るまでの直線状の経路４０上に位置する。本実施形態の遮蔽部５０は、図５に示すように、Ｚ１方向が隣り合う仕切り壁３４の上端と接続し、Ｚ２方向が内側底面３２と接続している。
【００２５】
バスバー４は、電子部品１０とワイヤハーネス１００を構成する電線１０１と電気的に接続する金属製の導体であり、プレート部４ａと、端子接続部４ｂとで構成される。プレート部４ａは、導電性の板金に打ち抜き加工等により成形されたものであり、電線１０１等に接続される。端子接続部４ｂは、導電性の板金を曲げ加工等により成形されたものであり、電子部品１０の端子１２が接続される。バスバー４は、ロアカバー３Ａの内側底面３２に保持される。バスバー４は、ワイヤハーネス１００の電線１０１と、保持部２０に装着された電子部品１０とを予め定められたパターンにしたがって、互いに電気的に接続する。
【００２６】
電子部品１０は、例えばリレーである。電子部品１０は、内側に内部コイル等を収容したブロック状の本体部１１と、この本体部１１のＺ２方向に位置する底面（不図示）から突出した導電性を有する帯板状の複数の端子１２と、本体部１１の側面に設けられ、かつ互いに相対する一対の係止用の突起部１３とを備えている。各端子１２は、それぞれ、電子部品１０が保持部２０に装着された際に、支持部２２の各挿通孔２１ｆに通され、バスバー４と電気的に接続される。各突起部１３は、互いに本体部１１の幅方向（Ｘ方向）に沿って相対するように配置されている。各突起部１３は、それぞれ、電子部品１０が保持部２０に装着された際に、保持部２０の後述する互いに相対する開口部２３に係止して、電子部品１０を保持部２０の筒部２１内に固定する。
【００２７】
次に、第１実施形態に係る電気接続箱１における異物の挿入について説明する。電気接続箱１は、図５に示すように、例えば針金６０のような細い棒状の異物が開口部２３から挿入された場合、遮蔽部５０により針金６０がバスバー４に接触しないように構成される。針金６０は、例えば直径１．０ｍｍ程度を想定しているが、これに限定されるものではない。電気接続箱１は、保持部２０に電子部品１０が装着された装着状態において、異物が開口部２３に対して挿入方向に傾いて挿入されると、その先端が電子部品１０の側面に摺接しながら、Ｚ１方向からＺ２方向に向けて移動する。なお、異物が開口部２３に対して直交する方向から挿入された場合には、電子部品１０の側面に当接して、内部への侵入が低減される。電気接続箱１は、異物の先端が電子部品１０の側面に摺接しながら移動していくと、やがて遮蔽部５０の先端部５０ａに当接するので、異物の移動を停止させることができる。異物の先端が遮蔽部５０の先端部５０ａに当接した際に湾曲して経路４０から外れても、当該先端部５０ａと電子部品１０の側面とが隙間なく配置されているので、異物の移動を停止させることができる。このように、電気接続箱１は、開口部２３から挿入された異物の移動を規制して、空間部３１への異物の侵入を低減することが可能となる。
【００２８】
以上説明したように、本実施形態に係る電気接続箱１およびワイヤハーネス１００は、ロアカバー３Ａがアッパーカバー２Ａと組付状態において、開口部２３から空間部３１を経由してバスバー４に至るまでの直線状の経路４０上に遮蔽部５０を有する。遮蔽部５０は、内側底面３２から開口部２３に向けて仕切り壁３４と平行に立設され、先端部５０ａが直線状の経路４０上に位置する。これにより、例えば針金６０等の異物が開口部２３から挿入された場合でも、異物が空間部３１まで侵入することがなく、内部への異物の侵入を低減することができる。また、遮蔽部５０が、図５に示すように、Ｘ方向から側面視したときの遮蔽部５０がクランク形状に形成されているので、開口部２３から挿入された異物が湾曲してもバスバー４への接触を防止することができる。また、バスバー４の近傍に遮蔽部５０を設けることにより、バスバー４の絶縁距離を確保することができる。
【００２９】
［第２実施形態］
次に、第２実施形態に係る電気接続箱１について説明する。図６は、第２実施形態に係る電気接続箱の概略構成を示す分解斜視図である。図７は、第２実施形態に係る電気接続箱の部分断面斜視図である。図８は、第２実施形態に係る電気接続箱の部分断面斜視図である。図９は、第２実施形態に係る電気接続箱の断面図である。なお、図７は、電気接続箱から電子部品を取り外した状態を示す図である。図８は、図６のＣ−Ｄ間の部分断面図である。図９は、図６のＣ−Ｃ間の断面図である。
【００３０】
第２実施形態に係る電気接続箱１は、遮蔽部５０が、ロアカバー３Ｂ側ではなく、アッパーカバー２Ｂ側に形成されている点が上記第１実施形態に係る電気接続箱１とは異なる。なお、第２実施形態において、上記第１実施形態および変形例と共通しているものについては同一符号を付して、それらの説明を省略する。
【００３１】
本実施形態に係る電気接続箱１は、図６に示すように、アッパーカバー２Ｂと、ロアカバー３Ｂと、バスバー４と、電子部品１０とを含んで構成される。アッパーカバー２Ｂおよびロアカバー３Ｂは、互い組み付けられた組付状態において、内部にバスバー４を収容する筐体を構成する。
【００３２】
アッパーカバー２Ｂは、絶縁性の合成樹脂等からなり、周知の射出成形により成形される。アッパーカバー２Ｂは、電子部品１０を保持する。アッパーカバー２Ｂは、保持部２０と、天井壁２４と、外壁２５とを含んで構成される。アッパーカバー２Ｂは、天井壁２４と、天井壁２４の外縁からＺ２方向に立設しかつ互いに連なる複数の外壁２５とにより、Ｚ２方向に開口する箱形状に形成されている。本実施形態のアッパーカバー２Ｂは、図７〜図９に示すように、支持部２２の反対側の面から開口部２３と平行に挿入方向に突出して形成された遮蔽部５０を有する。遮蔽部５０は、Ｚ２方向の端部に先端部５０ａを有する。先端部５０ａは、ロアカバー３Ｂおよびアッパーカバー２Ｂが互いに組付状態において、開口部２３から空間部３１を経由してバスバー４に至るまでの直線状の経路４０上に位置する。本実施形態の遮蔽部５０は、Ｘ方向に開口部２３の幅方向の長さと同じ長さを有し、正面視した開口部２３に対してＺ２方向に向かって延在して形成されている。
【００３３】
次に、第２実施形態に係る電気接続箱１の作用について説明する。電気接続箱１は、図９に示すように、例えば針金６０のような細い棒状の異物が開口部２３から挿入された場合、遮蔽部５０により針金６０がバスバー４に接触しないように構成される。電気接続箱１は、異物が開口部２３に対して挿入方向に傾いて挿入されると、その先端が電子部品１０の側面に摺接しながら、Ｚ１方向からＺ２方向に向けて移動する。なお、異物が開口部２３に対して直交する方向から挿入された場合には、電子部品１０の側面に当接して、内部への侵入が低減される。上記第１実施形態に係る電気接続箱１は、異物の先端が電子部品１０の側面に摺接しながら移動していくと、やがて遮蔽部５０の先端部５０ａに当接する。一方、第２実施形態に係る電気接続箱１は、異物の先端が、遮蔽部５０で仕切られかつ仕切り壁３４と隣り合う空間に移動していき、やがて内側底面３２に当接する。電気接続箱１は、異物の先端が内側底面３２に当接しても、遮蔽部５０の先端部５０ａによりバスバー４側への移動を規制する。異物の先端が遮蔽部５０に摺接した際に湾曲して経路４０から外れても、内側底面３２により異物の移動を停止させることができる。このように、電気接続箱１は、開口部２３から挿入された異物の移動を規制して、空間部３１への異物の侵入を低減することが可能となる。
【００３４】
以上説明したように、本実施形態に係る電気接続箱１は、ロアカバー３Ｂがアッパーカバー２Ｂと組付状態において、開口部２３から空間部３１を経由してバスバー４に至るまでの直線状の経路４０上に遮蔽部５０を有する。遮蔽部５０は、支持部２２の反対側の面から開口部２３と平行に挿入方向に突出して形成され、先端部５０ａが直線状の経路４０上に位置する。これにより、上記第１実施形態と同様の効果を奏することができる。
【００３５】
［変形例］
なお、上記第１および第２実施形態では、遮蔽部５０は、電気接続箱１に設けられた４つの開口部２３のうちの一つに対応して設けられているが、これに限定されるものではない。すなわち、電気接続箱１は、開口部２３から空間部３１を経由する直線状の経路４０上にバスバー４が配置されている場合、当該開口部２３に対応して、ロアカバー３Ａ，３Ｂまたはアッパーカバー２Ａ，２Ｂの少なくとも一方に遮蔽部５０を設けることが好ましい。
【００３６】
また、従来の電気接続箱では、開口部２３からの異物の挿入を低減する目的で、アッパーカバー２Ａ，２Ｂの平坦部２８のＸ方向の端部のうち、開口部２３と直交する部分からＺ１方向に向かって突起させたＬ字状端部２９が形成されている。上記第１および第２実施形態では、このＬ字状端部２９の形状を変更している。すなわち、アッパーカバー２Ａ，２Ｂは、筒部２１の壁部２１ｂから外側に向かって挿入方向と直交する方向に形成され、ロアカバー３Ａ，３Ｂの空間部３１を閉塞する平坦部２８を有し、平坦部２８が、開口部２３の挿入方向の端部を形成する。これにより、電子部品１０の挿入時に、筒部２１の壁部２１ｂが変形し易くなり、電子部品１０の挿入力、反力、発生応力が低下し、電気接続箱１に対する電子部品１０の組付性の向上を図ることができる。
【００３７】
また、上記第１実施形態では、遮蔽部５０は、２つの仕切り壁３４の一方と隣り合うように内側底面３２から立設され当該仕切り壁３４と接続されているが、これに限定されるものではない。例えば、仕切り壁３４が遮蔽部５０であってもよい。すなわち、仕切り壁３４は、Ｚ１方向の端部に先端部５０ａが形成され、この先端部５０ａが開口部２３から空間部３１を経由してバスバー４に至るまでの直線状の経路４０上に位置するように構成される。
【符号の説明】
【００３８】
１  電気接続箱
２Ａ，２Ｂ  アッパーカバー
３Ａ，３Ｂ  ロアカバー
４  バスバー
１０  電子部品
１２  端子
１３，３５  突起部
２０  保持部
２１  筒部
２１ａ  挿入口
２１ｂ  壁部
２１ｃ  案内部材
２２  支持部
２３  開口部
２４  天井壁
２５，３３  外壁
２８  平坦部
３１  空間部
３２  内側底面
３４  仕切り壁
４０  経路
５０  遮蔽部
５０ａ  先端部
１００  ワイヤハーネス
１０１  電線
【図１】
2019068633.tif 000003
【図２】
2019068633.tif 000004
【図３】
2019068633.tif 000005
【図４】
2019068633.tif 000006
【図５】
2019068633.tif 000007
【図６】
2019068633.tif 000008
【図７】
2019068633.tif 000009
【図８】
2019068633.tif 000010
【図９】
2019068633.tif 000011